(57)【要約】【課題】反射型ＬＥＤ等の発光素子を複数配列し、広範囲に平行光を照射する光沢用照明装置を使って、斜め方向から照明光を被計測対象物に照射し、その正反射光を撮像素子で受光することで、被計測対象物の光沢分布を検査する画像検査装置において、照明ムラの発生を許容しつつ、検査精度の向上を図る。【解決手段】光沢用照明装置の照明光量を変化させて、被計測対象物の光沢分布を複数回撮影する。そして、それぞれの照明光量により撮影された複数の２次元光沢分布画像から有効部分を切り出して合成し、この合成した２次元光沢分布画像を検査する。【選択図】図５
2014178205.tif 000002
【特許請求の範囲】
【請求項１】
複数の発光素子が配列され、線状の平行光を出射する平行光照明手段を使用し、前記平行光照明手段からの前記平行光を斜め方向から被計測対象物に照射し、該被計測対象物にて正反射した反射光を撮像素子で受光して、前記被計測対象物の光沢分布画像を撮影し、前記光沢分布画像を検査する画像検査装置であって、
前記平行光照明手段の照明光量を変化させる光量変更手段と、
前記平行光照明手段のそれぞれの照明光量により前記撮像素子で撮影された複数の光沢分布画像から、それぞれ有効部分を切り出して合成して、１つの合成光沢分布画像を生成し、該合成光沢分布画像を検査する画像処理・検査手段と、
を有することを特徴とする画像検査装置。
【請求項２】
前記光量変更手段は、前記平行光照明手段の照明光量を少なくとも通常の照明光量と該通常の照明光量より大の照明光量に変化し、
前記画像処理・検査手段は、前記通常の照明光量による光沢分布画像については明るい部分を切り出し、前記通常の照明光量より大の照明光量による光沢分布画像については暗い部分を切り出して、１つの合成光沢分布画像を生成する、
ことを特徴とする請求項１に記載の画像検査装置。
【請求項３】
前記光量変更手段は、前記平行光照明手段の照明光量を線順次に変化させ、
前記画像処理・検査手段は、前記照明光量を線順次に変化させて撮影された光沢分布画像から、それぞれの照明光量による光沢分布画像を分離する手段を有する、
ことを特徴とする請求項１に記載の画像検査装置。
【請求項４】
複数の発光素子が配列され、線状の平行光を出射する平行光照明手段を使用し、前記平行光照明手段からの前記平行光を斜め方向から被計測対象物に照射し、該被計測対象物にて正反射した反射光を撮像素子で受光して、前記被計測対象物の光沢分布画像を撮影し、前記光沢分布画像を検査する画像検査方法であって、
前記平行光照明手段を照明光量を変化させて、前記撮像素子で前記被計測対象物の光沢分布画像を撮影し、
前記撮像素子で撮影されたそれぞれの照明光量による複数の光沢分布画像から、それぞれ有効部分を切り出して合成して、１つの合成光沢分布画像を生成し、該合成光沢分布画像を検査する、
ことを特徴とする画像検査方法。
【発明の詳細な説明】
【技術分野】
【０００１】
本発明は、被計測対象物の光沢分布を検査する画像検査装置及び画像検査方法に関する。
【背景技術】
【０００２】
電子写真方式の画像形成装置による印刷物等、画像の形成された被計測対象物に照明光を照射し、その反射光に基づく画像を撮像素子で読み取ることで、被計測対象物の濃度分布や光沢分布を検査する画像検査装置は、既に知られている（例えば、特許文献１、特許文献２等）。この場合、光沢分布の検査は、照明光を一定の角度で被計測対象物に入射させ、該被計測対象物で同一角度で反射させた反射光（正反射光）を撮像素子で受光する撮像系を構築して行うのが一般的である。
【０００３】
このような画像検査装置では、被計測対象物の光沢分布の検査に通常の拡散照明装置を使用すると、正反射光を生む入射光以外にも、様々な角度の光が被計測対象物に照射されるため、正反射光のみを撮像素子に受光させることは困難である。このため、被計測対象物の光沢分布の検査には、平行光照明装置を使用して平行光を被計測対象物に照射する必要がある。
【０００４】
従来、検査対象の表面に平行光を照射させる平行光照明装置としては、例えば、複数の発光ダイオードを配列し、これら複数の発光ダイオードの光軸をスリットに合わせて、このスリットから入射する光をフレネルレンズを通して平行光に変換する構成の照明装置が知られている（特許文献３）。しかし、この照明装置では、複数の発光ダイオードからの光は、スリットによる回折及びフレネルレンズによる回折により大幅に減少してしまい、被計測対象物の光沢分布の検査のように、被計測対象物へ広範囲に、所定の強度で平行光を照射する照明装置には適さない。
【０００５】
一方、昨今、平行光照明装置として反射型の発光ダイオードが注目されている。反射型の発光ダイオードは、従来の砲弾型の発光ダイオードとは異なり、発光ダイオード単体で平行光を照射できる。この反射型の発光ダイオードを敷きつめることによって、被計測対象物へ広範囲に平行光を照射することが可能になる。
【０００６】
特許文献４では、反射型の発光ダイオードを複数個、アレイ状に整列して配置して、平行光を一定の角度で被計測対象物へ広範囲に照射し、その正反射光を撮像素子で受光することで、被計測対象物の光沢分布を検査するようにした画像検査装置を開示している。
【発明の概要】
【発明が解決しようとする課題】
【０００７】
反射型の発光ダイオードを複数個、アレイ状に配列して配置した場合、発光ダイオードと発光ダイオードの間からは光が照射されず、また、各発光ダイオードから照射される光は平行光であるため、照明ムラが大きくなる問題がある。照明ムラをなくすには、各発光ダイオードを隙間なく配置する必要があるが、これは実際には不可能である。そこで、特許文献４では、被計測対象物上の平行光が照射されない部分は不感領域として、該領域を光沢検査から除外しているが、検査精度が低下する問題がある。
【０００８】
本発明は、照明ムラの発生を許容しつつ、被計測対象物の光沢分布を高精度に検査可能な画像検査装置及び画像検査方法を提供することにある。
【課題を解決するための手段】
【０００９】
本発明は、複数の発光素子が配列され、線状の平行光を出射する平行光照明手段を使用し、前記平行光照明手段からの前記平行光を斜め方向から被計測対象物に照射し、該被計測対象物にて正反射した反射光を撮像素子で受光して、前記被計測対象物の光沢分布画像を撮影し、前記光沢分布画像を検査する画像検査装置において、前記平行光照明手段の照明光量を変化させる光量変更手段と、前記平行光照明手段のそれぞれの照明光量により前記撮像素子で撮影された複数の光沢分布画像から、それぞれ有効部分を切り出して合成して、１つの合成光沢分布画像を生成し、該合成光沢分布画像を検査する画像処理・検査手段とを有することを主要な特徴とする
【発明の効果】
【００１０】
本発明によれば、平行光照明装置の照明光量を変化して撮影して得られた複数の光沢分布画像からそれぞれ有効部分を切り出して合成することで、照明ムラが軽減されるため、被計測対象物の光沢分布を高精度に検査することが可能になる。
【図面の簡単な説明】
【００１１】
【図１】実施形態に係る画像検査装置の撮像系の側面図である
【図２】実施形態に係る画像検査装置の撮像系の正面図である。
【図３】光沢用照明装置の構成例と照度分布を示す図である。
【図４】実施形態に係る画像検査装置の制御系の概略図である。
【図５】光沢用照明装置の実施例１の全体的処理フローチャートである。
【図６】実施例１の処理の過程を説明する図である。
【図７】光沢用照明装置の実施例２の全体的処理フローチャートである。
【図８】実施例２の処理の過程を説明する図である。
【発明を実施するための形態】
【００１２】
以下、本発明の実施形態について図面を参照して説明する。
【００１３】
図１は、本発明の一実施形態に係る画像検査装置の撮像系の側面図、図２は正面図である。図1及び図２において、本画像検査装置の撮像系は、平行光照明手段としての光沢用照明装置１１と、曲面ミラー１２と、濃度用照明装置１３と、結像レンズ１４、撮像素子１５とを有する。９０は、表面に画像が形成された被計測対象物としての紙等の画像担持媒体であり、９０ａは撮像素子１５にて光沢分布および濃度分布が読み取られる該画像担持媒体９０上の１ラインの読取り領域である。画像担持媒体９０は、給紙装置３０によって矢印９０ｂで示すＹ方向（副走査方向）に移動する。
【００１４】
光沢用照明装置（平行光照明手段）１１は、複数の発光素子１１１を有し、各発光素子１１１は、曲面ミラー１２に互いに略平行な照明光を照射する機能を有する。
【００１５】
図３は、光沢用照明装置１１の構成例と照度分布を示した図である。図３（ａ）は光沢用照明装置１１の一構成例の正面図、図３（ｂ）は図３（ａ）のＡ方向から見た図、図３（ｃ）は図３（ａ）のＢ方向から見た図である（右端図）。図３（ｄ）は光沢用照明装置１１の照度分布である。
【００１６】
光沢用照明装置１１は、コンタクトガラス１１０と、複数の発光素子１１１とを有する。発光素子１１１のリード素子１１１ａ側には、基盤が配置されているが、図３では省略してある。各発光素子１１１は、各々の上面（発光側の面）をコンタクトガラス１１０の下面に密着させて１列状に配列されている。各発光素子１１１は、例えば反射型の発光ダイオード（反射型ＬＥＤ）であり、互いに略平行や照明光を出射する構成となっている。各発光素子１１１から出射された光は、コンタクトガラス１１０を透過して、線状の平行光として曲面ミラー１２に照射される。
【００１７】
光沢用照明装置１１の各発光素子１１１は、照明ムラを低減するために隙間なく整列して配置することが好ましいが、各発光素子１１１を基板に実装する都合上、隣接する発光素子１１１間に多少の隙間ができる。したがって、光沢用照明装置１１の照明光の照度分布（平行光強度）は図３（ｄ）のようになる。
【００１８】
曲面ミラー１２は、光沢用照明装置１１の長手方向（Ｘ方向）に所定の曲率の凹状の曲面を有する。この曲面ミラー１２は、光沢用照明装置１１の各発光素子１１１が発する略平行な照明光を反射（光路変換）し、被計測対象物の画像担持媒体９０に照射された際の正反射光が結像レンズ１４の瞳に対して入射する照明光を生成する機能を有する。すなわち、曲面ミラー１２の凹状の曲面は、光沢用照明装置１１の各発光素子１１１が発する照明光に対応する正反射光が結像レンズ１４の瞳に対して入射する曲率とされている。
【００１９】
光沢用照明装置１１の各発光素子１１１から出射された略平行な照明光は、所定の曲率の凹状の曲面を有する曲面ミラー１２に入射し、該曲面ミラー１２で反射されて、それぞれ異なる方向に進行する照明光となる。曲面ミラー１２で反射された照明光は、画像担持媒体９０の読取り領域９０ａの全域に入射角度θ１で入射する。この照明光は、同じく画像担持媒体９０の読取り領域９０ａの全域で出射角度θ２（θ１＝θ２）で正反射し、正反射光となる。正反射光は、曲面ミラー１２により、それぞれ結像レンズ１４の瞳に入射するように指向されている。
【００２０】
一方、濃度用照明装置１３は、画像担持媒体９０の読取領域９０ａに所定の角度で入射する照明光を照射する機能を有する。所定の角度は、入射角度θ１と異なる角度であれば任意で構わないが、例えば９０ｄｅｇとすることができる。濃度用照明装置１３としては、例えばキセノンランプやＬＥＤアレイ等の拡散照明装置を用いることができる。なお、光沢用照明装置１１と濃度用照明装置１３が同時に光を出射することはなく、撮像素子１５の駆動に合わせて交互に光を出射したり、何れか一方が随時光を出射したりするように構成されている。
【００２１】
結像レンズ１４及び撮像素子１５は、光沢用照明装置１１からの照明光の正反射光を受光可能な位置に配置されている。又、結像レンズ１４及び撮像素子１５は、濃度用照明装置１３から画像担持媒体９０の読取領域９０ａに出射された照明光の拡散反射光の一部を受光可能な位置に配置されている。
【００２２】
結像レンズ１４は、例えば複数枚のレンズから構成され、光沢用照明装置１１から画像担持媒体９０に照射された照明光の正反射光又は濃度用照明装置１３からの照明光の拡散反射光を撮像素子１５に結像する機能を有する。
【００２３】
撮像素子１５は、複数の画素（セル）から構成され、結像レンズ１４を介して入射する正反射光又は拡散反射光の光量を取得する機能を有する。撮像素子１５としては、例えばＭＯＳ、ＣＭＯＳ、ＣＣＤ、ＣＩＳ等を用いることができる。本実施形態では、撮像素子１５として、１次元で読み取るタイプの撮像素子（ラインセンサ）を用いる。カラー画像を対象とする場合には、ＲＧＢの各色に感度を有する３ラインタイプ等の撮像素子を用いればよい。
【００２４】
撮像素子１５は、後述する画像処理装置に接続されている。画像処理装置は、撮像素子１５で読み取られた画像を入力して、被計測対象物である画像担持媒体９０の光沢分布および濃度分布を検査する。
【００２５】
画像検査装置における光沢分布及び濃度分布の検査は、一般に以下のように行われる。
【００２６】
初めに、光沢用照明装置１１を点灯して（濃度用照明装置１３は消灯）、画像担持媒体９０の１ラインの読取領域９０ａに光沢用照明装置１１からの照明光（線状の平行光）を照射し、撮像素子１５でその正反射光の光量を受光し、読取領域９０ａの１ラインの画像（光沢画像）を読み取る。画像処理装置は、撮像素子１５で読み取られた画像をメモリに記憶する。
【００２７】
次に、濃度用照明装置１３を点灯して（光沢用照明装置１１は消灯）、同じ１ラインの読取領域９０ａに照明光を照射し、撮像素子１５で該読取領域９０ａからの拡散反射光の光量を受光し、読取領域９０ａの１ラインの画像（濃度画像）を読み取る。画像処理装置は、撮像素子１５で読み取られた画像をメモリに記憶する。
【００２８】
次に、給紙装置３０は、画像担持媒体９０を矢印方向９０ｂ（副走査方向）に所定の距離だけ搬送する。そして、画像担持媒体９０の次の１ラインについて、上記と同様の動作を行う。
【００２９】
以下、画像担持媒体９０の各ラインについて同様の動作を繰り返すことにより、画像処理装置のメモリには、画像担持媒体９０の全域の２次元光沢分布画像と２次元濃度分布画像が記憶される。
【００３０】
なお、画像担持媒体９０を連続的に搬送し、順次、光沢用照明装置１１と濃度用照明装置１３を交互に点灯するようにしても、画像担持媒体９０の２次元光沢分布画像と２次元濃度分布画像を取得することができる。
【００３１】
画像処理装置は、メモリに記憶された２次元光沢分布画像と２次元濃度分布画像に基づいて、被計測対象物である画像担持媒体９０の全域にわたり、光沢分布と濃度分布の状態を検査する。
【００３２】
ところで、光沢用照明装置１１の照明光は、図３（ｄ）に示したように、隣接する発光素子の間で光量が少なくなる照明ムラが生じる。この照明ムラ部分で、光沢の検査精度が極端に低下する。
【００３３】
そこで、本実施形態では、光沢用照明装置１１の照明光量を変化させて、被計測対象物である画像担持媒体９０の光沢分布（２次元光沢分布）を撮影し、それぞれの照明光量による複数の光沢分布画像（２次元光沢分布画像）を取得する。画像処理装置は、これら複数の光沢分布画像（２次元光沢分布画像）について、互いに光沢分布が反映されている有効部分のみを切り出して合成して、１つの光沢分布画像（２次元光沢分布画像）とする。そして、画像処理装置は、この合成光沢分布画像（合成２次元光沢分布画像）を用いて、画像担持媒体９０の光沢分布を検査する。これにより、光沢用照明装置１１の照明光の照明ムラを許容しつつ、光沢分布の検査精度を向上させることが可能になる。
【００３４】
図４は、本実施形態に係る画像検査装置の制御系の概略構成を示す図である。コントローラ１０は本画像検査装置の各部の動作を制御する。光沢用照明装置１１及び濃度用照明装置１３は、通常、コントローラ１０の制御下で、点灯及び消灯を交互に繰り返す。また、光沢用照明装置１１は、コントローラ１０の制御下で、各発光素子から出射される平行光の光量（照明光量）を変化させる。すなわち、コントローラ１０は、平行光照明手段としての光沢用照明装置１１の照明光量を変化させる光量変更手段として機能する。給紙装置３０は、コントローラ１０の制御下で、画像担持媒体９０を副走査方向に間欠的あるいは連続的に搬送する。撮像素子１５は、コントローラ１０の制御下で、光沢用照明装置１１と濃度用照明装置１３の点灯に合わせて、画像担持媒体９０の光沢分布と濃度分布を撮影する。光沢分布は、光沢用照明装置１１の照明光量の変化に合わせて、複数回撮影する。
【００３５】
画像処理装置４０は、例えばパソコンであり、ＣＰＵや、ＲＯＭ、ＲＡＭ、ＨＤＤなどのメモリ、さらにはマウス、キーボード、表示部を備えている。該画像処理装置４０はコントローラ１０の制御下で、撮像素子１５で撮影された画像担持媒体９０の光沢分布と濃度分布の画像を順次取り込み、メモリに記憶する。そして、画像担持媒体９０の２次元光沢分布画像と２次元濃度分布画像がメモリに揃うと、画像処理装置４０は、これら画像に基づいて、画像担持媒体９０の光沢分布や濃度分布を検査し、検査結果を表示部に表示する。ここで、２次元光沢分布画像は、光沢用照明装置１１の照明光量の変化の回数に対応して複数得られる。画像処理装置４０は、これら複数の２次元光沢分布画像を合成し、この合成した２次元光沢分布画像を用いて画像担持媒体９０の光沢分布を検査する。すなわち、画像処理装置４０は、平行光照明手段である光沢用照明装置１１の照明光量の変化の回数に対応して、撮像素子１５で繰り返し撮影された複数の光沢分布画像を合成して１つの合成光沢分布画像を生成し、該合成光沢分布画像を検査する画像処理・検査手段として機能する。
【００３６】
以下、本実施形態に係る画像検査装置による光沢分布検査の仕方について、具体的実施例により詳述する。なお、以下の実施例では、光沢用照明装置１１の照明光量は簡単に通常の照明光量とその２倍の照明光量の２段階に変化させるとするが、一般に光沢用照明装置１１の照明光量の変化は、通常の照明光量、その０．５倍、１．５倍、２倍、その他、いくらでもよい。
【実施例１】
【００３７】
図５に、実施例１の全体的な処理フローチャートを示す。
【００３８】
最初に、光沢用照明装置１１を通常の照明光量として、被計測対象物である画像担持媒体９０の１回目の２次元光沢分布の撮影を行う（ステップ１００１）。具体的には、給紙装置３０により画像担持媒体９０を矢印９０ｂのＹ方向（副走査方向）に間欠的あるいは連続的に搬送し、これに合わせて光沢用照明装置１１を通常の照明光量で点灯して、撮像素子１５で画像担持媒体９０の光沢分布画像を順次読み取る。この時、実際には、光沢用照明装置１１と濃度用照明装置１３とを交互に点灯し、撮像素子１５では、画像担持媒体９０の光沢分布画像と濃度分布画像を交互に読み取ることになるが、ここでは、濃度分布画像については省略する。なお、通常の照明光量は、あらかじめユーザによって指定された値あるいは被計測対象物によって固定された値などとする。
【００３９】
画像処理装置４０は、撮像素子１５で読み取られた画像担持媒体９０の光沢分布画像を順次取り込み、メモリに記憶する（ステップ１００２）。この結果、メモリには、まず、光沢用照明装置１１の通常の照明光量で撮影された、画像担持媒体９０の２次元光沢分布画像が記憶される。
【００４０】
次に、光沢用照明装置１１の照明光量を通常の２倍にして、画像担持媒体９０の２回目の２次元光沢分布の撮影を行う（ステップ１００３）。具体的には、１回目の場合と同様に、再び画像担持媒体９０を副走査方向に間欠的あるいは連続的に搬送し、これに合わせて光沢用照明装置１１を点灯して（通常の２倍の照明光量で点灯）、撮像素子１５で画像担持媒体９０の光沢分布画像を順次読み取る。なお、この２回目の撮影では、濃度用照明装置１３は消灯のままとして、濃度分布画像の撮影は実施しない。
【００４１】
画像処理装置４０は、撮像素子１５で読み取られた画像担持媒体９０の光沢分布画像を順次取り込み、メモリに記憶する（ステップ１００４）。この結果、メモリには、光沢用照明装置１１を通常の照明光量として撮影した１回目の２次元光沢分布画像と、光沢用照明装置１１を通常の２倍の照明光量として撮影した２回目の２次元光沢分布画像とが記憶される。
【００４２】
画像処理装置４０は、この１回目と２回目の２次元光沢分布画像について、それぞれ光沢分布が反映されている有効な部分として、１回目の２次元光沢分布画像からは明るい部分を切り出し、２回目の２次元光沢分布画像からは暗い部分を切り出し、該切り出した画像の位置合わせを行って合成する（ステップ１００５）。切り出した画像に重なる部分がある場合は、平均化（互いに画素値を平均）や重み付けをして重ね合わせる。この１回目と２回目の２次元光沢分布画像から互いに有効な部分を切り出して合成した画像を合成２次元光沢分布画像と称す。画像処理装置４０は、この合成２次元光沢分布画像により、被計測対象物である画像担持媒体９０の光沢分布の状態を検査する（ステップ１００６）。
【００４３】
図６は、実施例１の具体的な処理の流れを説明する図である。
【００４４】
図６（ａ）は、通常の照明光量での１回目の撮影、通常の照明光量の２倍の光量での２回目の撮影を示している。図６（ｂ）は１回目と２回目の撮影画像（２次元光沢分布画像）である。図６（ｂ）を見るに、１回目の撮影画像では、暗い部分と明るい部分がハッキリわかるほど照明ムラが表れている。一方、２回目の撮影画像では、照明ムラは少なくなっているが、白い部分が限界を超えてしまっている（白抜きが発生）。
【００４５】
図６（ｃ）は、これら１回目と２回目の撮影画像（２次元光沢分布画像）から有効部分の切り出しを説明する図である。図６（ｃ）中、点線で示す部分が切り出す画像である。すなわち、通常の照明光量での１回目の撮影画像からは、明るい部分を切り出す。また、通常の照明光量の２倍の光量での２回目の撮影画像からは、白く飛ばされていない暗い部分を切り出す。この操作により、照明光量が大きく違わない、それぞれ光沢分布が反映されている有効な部分を切り出すことができる。なお、切り出す閾値は、あらかじめ照度分布に基づいて決めておくようにする。
【００４６】
図６（ｄ）は合成画像（合成２次元光沢分布画像）であり、図６（ｃ）のように切り出した画像について、互いに位置合わせを行って合成する。切り出し画像に重なる部分がある場合は、例えば、互いに画素値を平均して重ね合わせたり（平均化）、照度分布の割合に従って画素値に重みをかけて重ね合わせる。
【００４７】
図６（ｄ）のように、２回の撮影では、多少照度ムラが残る場合が出てくるが、１回の撮影よりも（例えば、図６（ｂ）の左側の撮影画像）、照明ムラの差が小さくなる。すなわち、照明ムラが軽減される。
【００４８】
なお、撮影回数を多くすることで、より滑らかな画像を合成することができる。２回以上の撮影をする場合には、例えば、通常の照明光量、その０．５倍の光量、１．５倍の光量、・・・のように、照明光量を段階的に調整する。照明光量を細かく調整することにより、より細かく切り出し画像を生成でき、より滑らかな画像を合成することができる。
【実施例２】
【００４９】
実施例１では、光沢用照明装置１１の照明光量の通常の照明光量とその２倍の光量に変化する毎に、被計測対象物である画像担持媒体９０を繰り返し搬送して、それぞれの照明光量の光沢分布画像（２次元光沢分布画像）を２回に分けて撮影して取得していた。実施例２では、光沢用照明装置１１の照明光量を通常の照明光量とその２倍の照明光量に交互に線順次に変化させて、被計測対象物である担持媒体９０の１回の搬送で、それぞれの照明光量の光沢分布画像（２次元光沢分布画像）を取得するようにする。
【００５０】
図７に、実施例２の全体的な処理フローチャート、図８に具体的な処理の様子を示す。
【００５１】
光沢用照明装置１１の照明光量を、通常の照明光量とその２倍の照明光量とに交互に線順次に変化させて、被計測対象部である画像担持媒体９０の２次元光沢分布の撮影を行う（ステップ２００１）。具体的には、給紙装置３０により画像担持媒体９０を矢印９０ｂのＹ方向（副走査方向）に間欠的あるいは連続的に搬送し、これに合わせて光沢用照明装置１１を通常の照明光量とその２倍の照明光量とに交互に変化させて、通常の照明光量時の光沢分布画像と２倍の照明光量時の光沢分布画像とを、順次、撮像素子１５で読み取る。
【００５２】
図８（ａ）は、光沢用照明装置１１の照明光量の時間的変化を示し、光量Ａが通常の照明光量、光量Ｂが通常の照明光量の２倍の照明光量を表している。図８（ｂ）は、撮像素子１５の撮影タイミングを示す。すなわち、撮像素子１５は、光沢用照明装置１１の通常の照明光量（光量Ａ）とその２倍の照明光量（光量Ｂ）の点灯タイミングで、順次、画像担持媒体９０の光沢分布画像を読み取る。この間、画像担持媒体９０は、副走査方向に間欠的あるいは連続的に搬送し続けている。したがって、画像担持媒体９０の１回の搬送でもって、光沢用照明装置１１の通常の照明光量とその２倍の照明光量による画像担持媒体９０の２次元分布画像を取得することができる。
【００５３】
画像処理装置４０は、撮像素子１５で読み取られた画像担持媒体９０の光沢分布画像を順次取り込み、メモリに記憶する（ステップ２００２）。この結果、メモリには、光沢用照明装置１１の通常の照明光量（光量Ａ）とその２倍の照明光量（光量Ｂ）による、画像担持媒体９０の２次元光沢分布画像が混在した状態で記憶される。
【００５４】
図８（ｃ）は、画像処理装置４０のメモリ内の撮影画像（光沢分布画像）の様子を示している。便宜上、図８（ｃ）では、白い領域が通常の照明光量（光量Ａ）による撮影画像を表し、灰色の領域が２倍の照明光量（光量Ｂ）による撮影画像を表している。すなわち、メモリには、通常の照明光量とその２倍の照明光量による２次元光沢分布画像が、１ライン毎に交互に分割して記憶される。
【００５５】
画像処理装置４０は、メモリに１ライン毎に交互に分割して記憶されている、通常の照明光量と２倍の照明光量による２次元光沢分布画像をそれぞれ分離する（ステップ２００３）。図８（ｄ）は、これを示している。すなわち、メモリ内の光量Ａと光量Ｂのラインを別々に読み出して合成する。
【００５６】
次に、画像処理装置４０は、分離された通常の照明光量（光量Ａ）による２次元光沢分布画像と通常の照明光量の２倍の照明光量（光量Ｂ）による２次元光沢分布画像について、通常の照明光量による画像からは明るい部分を切り出し、通常の照明光量の２倍の照明光量による画像からは暗い部分を切り出し、該切り出した画像の位置合わせを行って合成する（ステップ２００４）。この場合の処理は、実施例１と同様である。そして、画像処理装置４０は、この合成した２次元光沢分布画像（合成２次元光沢分布画像）により、被計測対象物である画像担持媒体９０の光沢分布の状態を検査する（ステップ２００５）。
【００５７】
なお、実施例２においても、光沢用照明装置１１の照明光量を３段階以上に変化させることが可能である。この場合には、それぞれの照明の点灯時間を変更することで対応できる。
【００５８】
以上、本発明の実施形態について説明したが、本発明は上述の実施形態に限定されるものではない。本発明は、特許請求の範囲の記載を逸脱することなく、種々の変形や置換が可能である。例えば、画像担持媒体を搬送する替りに、撮像系を搬送することでもよい。
【符号の説明】
【００５９】
１０    コントローラ
１１    光沢用照明装置
１１１  発光素子
１２    曲面ミラー
１３    濃度用照明装置
１４    結像レンズ
１５    撮像素子
３０    給紙装置
４０    画像処理装置
９０    画像担持媒体
【先行技術文献】
【特許文献】
【００６０】
【特許文献１】特開２００５−２７７６７８号公報
【特許文献２】特開２００６−２８４５５０号公報
【特許文献３】特許第４１１７７８９号公報
【特許文献４】特開２０１１−２４２３７９号公報
【図１】
2014178205.tif 000003
【図２】
2014178205.tif 000004
【図３】
2014178205.tif 000005
【図４】
2014178205.tif 000006
【図５】
2014178205.tif 000007
【図７】
2014178205.tif 000008
【図８】
2014178205.tif 000009
【図６】
2014178205.tif 000010